(57)【要約】【課題】光源由来ノイズを除去するのに好適なＯＣＴシステムを提供すること。【解決手段】ＯＣＴシステムを、光源と、光源が射出した射出光を物体光と参照光に分波する分波手段と、分波手段が分波した物体光を被写体に照射する照射手段と、被写体を照射した物体光と参照光とを干渉させて干渉光強度信号を検出する干渉信号検出手段と、光源と干渉信号検出手段との間の光路を伝送する光の一部を抽出して抽出信号を検出する抽出信号検出手段と、検出された抽出信号を用いて干渉光強度信号を補正する信号補正手段と、補正された干渉光強度信号を処理して被写体の断層画像を生成する断層画像生成手段から構成する。【選択図】図１
2012110521.tif 000002
【特許請求の範囲】
【請求項１】
光源と、
前記光源が射出した射出光を物体光と参照光に分波する分波手段と、
前記分波手段が分波した物体光を被写体に照射する照射手段と、
前記被写体を照射した物体光と前記参照光とを干渉させて干渉光強度信号を検出する干渉信号検出手段と、
前記光源と前記干渉信号検出手段との間の光路を伝送する光の一部を抽出して抽出信号を検出する抽出信号検出手段と、
前記検出された抽出信号を用いて前記干渉光強度信号を補正する信号補正手段と、
前記補正された干渉光強度信号を処理して前記被写体の断層画像を生成する断層画像生成手段と、
を有することを特徴とするＯＣＴシステム。
【請求項２】
前記抽出信号検出手段は、前記分波手段と前記干渉信号検出手段との間の光路を伝送する前記参照光の一部を抽出することを特徴とする、請求項１に記載のＯＣＴシステム。
【請求項３】
前記抽出信号検出手段は、前記光源と前記分波手段との間の光路を伝送する光の一部を抽出することを特徴とする、請求項１に記載のＯＣＴシステム。
【請求項４】
前記信号補正手段は、前記干渉光強度信号から得られる相互相関信号を実質的に位相が等しい前記抽出信号から得られる相互相関信号で除算することを特徴とする、請求項１から請求項３の何れか一項に記載のＯＣＴシステム。
【請求項５】
前記信号補正手段は、前記干渉光強度信号から得られる相互相関信号を実質的に位相が等しい前記抽出信号から得られる相互相関信号でデコンボリューション処理することを特徴とする、請求項１から請求項３の何れか一項に記載のＯＣＴシステム。
【請求項６】
前記光源は、発振波長を一定の周期で掃引する波長走査型レーザ光源であることを特徴とする、請求項１から請求項５の何れか一項に記載のＯＣＴシステム。
【発明の詳細な説明】
【技術分野】
【０００１】
本発明は、管腔表層付近の断層像を撮影するＯＣＴシステムに関する。
【背景技術】
【０００２】
消化器や気管支等の管腔表層付近の微細構造を精細に観察するための観察システムとして、ＯＣＴ（Optical Coherence Tomography）システムが実用化されつつある。ＯＣＴシステムには、ＴＤ−ＯＣＴ（Time Domain OCT）方式を用いたものが知られている。ＴＤ−ＯＣＴ方式では、ＳＬＤ（Super Luminescent Diode）等の広帯域な光源を用い、参照光の光路長を変えながら干渉光強度を測定して、被写体の深さ方向の情報に対応した反射光強度分布を得る。しかし、ＴＤ−ＯＣＴ方式は、参照鏡の機械的な走査が必要であるため、測定速度の高速化が困難であるという問題が指摘されている。
【０００３】
そこで、近年、ＦＤ−ＯＣＴ（Fourier Domain OCT）方式を採用したＯＣＴシステムが提案され実用化されている。ＦＤ−ＯＣＴ方式では、スペクトル成分毎に干渉光強度を測定して周波数解析を行い、深さ方向の構造に対応した相互相間信号強度分布を得る。ＦＤ−ＯＣＴ方式では、参照光の光路長を変える必要がなく、参照鏡の機械的な走査を要しないため、測定速度の高速化に適している。
【０００４】
ＦＤ−ＯＣＴ方式の一つにＳＳ−ＯＣＴ（Swept Source OCT）方式がある。ＳＳ−ＯＣＴ方式では、波長を時間的に掃引させる波長走査型レーザ光源を用いて参照光と物体光を各波長で干渉させ、波長の時間変化に対応した信号の時間波形を測定して周波数解析し、深さ方向の構造に対応した相互相関信号強度分布を得る。この種のＯＣＴシステムの具体的構成例は特許文献１に記載されている。
【先行技術文献】
【特許文献】
【０００５】
【特許文献１】特開平７−４９３０６号公報
【発明の概要】
【発明が解決しようとする課題】
【０００６】
ところで、波長走査型レーザ光源の照射光には、波長走査範囲で光源固有のホワイトノイズが乗算される。この種の光源由来ノイズが相互相関信号強度分布に及ぼす影響は、ＳＬＤより波長走査型レーザ光源の方が格段に大きい。そのため、ＳＳ−ＯＣＴ方式では、光源由来ノイズを除去して相互相関信号強度分布の劣化を抑えることが重要な課題の一つとして挙げられる。しかし、光源由来ノイズと干渉光強度信号を切り分けることは難しく、これまでのところ、光源由来ノイズを良好に除去する有効な手段は提案されていない。
【０００７】
本発明は上記の事情に鑑みてなされたものであり、その目的とするところは、光源由来ノイズを除去するのに好適なＯＣＴシステムを提供することである。
【課題を解決するための手段】
【０００８】
上記の課題を解決する本発明の一形態に係るＯＣＴシステムは、光源と、光源が射出した射出光を物体光と参照光に分波する分波手段と、分波手段が分波した物体光を被写体に照射する照射手段と、被写体を照射した物体光と参照光とを干渉させて干渉光強度信号を検出する干渉信号検出手段と、光源と干渉信号検出手段との間の光路を伝送する光の一部を抽出して抽出信号を検出する抽出信号検出手段と、検出された抽出信号を用いて干渉光強度信号を補正する信号補正手段と、補正された干渉光強度信号を処理して被写体の断層画像を生成する断層画像生成手段を有することを特徴としている。
【０００９】
抽出信号には光源固有のノイズが重畳している。本発明によれば、光源固有のノイズを持つ抽出信号を用いて干渉光強度信号を補正してノイズを除去することにより、良好な断層画像が得られる。
【００１０】
抽出信号検出手段は、分波手段と干渉信号検出手段との間の光路を伝送する参照光の一部を抽出する構成としてもよい。又は、光源と分波手段との間の光路を伝送する光の一部を抽出する構成としてもよい。前者の場合、強度的に余裕のある参照光を利用して抽出信号を得ることができる。後者の場合、光源固有のノイズをより直接的に検出することができる。
【００１１】
信号補正手段は、干渉光強度信号から得られる相互相関信号を実質的に位相が等しい抽出信号から得られる相互相関信号で除算又はデコンボリューション処理してもよい。
【００１２】
光源は、例えば、発振波長を一定の周期で掃引する、固有のノイズが大きい波長走査型レーザ光源である。
【発明の効果】
【００１３】
本発明によれば、光源由来ノイズを除去するのに好適なＯＣＴシステムが提供される。
【図面の簡単な説明】
【００１４】
【図１】本発明の実施形態のＯＣＴシステムの構成を示すブロック図である。
【図２】第一の変形例のＯＣＴシステムの構成を示すブロック図である。
【図３】第二の変形例のＯＣＴシステムの構成を示すブロック図である。
【発明を実施するための形態】
【００１５】
以下、図面を参照して、本発明の実施形態のＯＣＴシステムについて説明する。
【００１６】
図１は、本実施形態のＯＣＴシステム１の構成を示すブロック図である。図１に示されるように、ＯＣＴシステム１は、ＳＳ−ＯＣＴ方式を採用したシステムであり、波長走査型レーザ光源１０、ノイズカット用フォトカップラ１２、分波用フォトカップラ１４、参照側サーキュレータ１６、参照光学系１８、参照鏡２０、物体側サーキュレータ２２、先端光学系２４、偏光コントローラ２６、合波用フォトカップラ２８、干渉信号検出用フォトダイオード３０、ＰＣ（Personal Computer）３２、モニタ３４、ノイズカット用フォトダイオード３６、光ファイバＦ１、Ｆ２、参照側光ファイバＦ３、物体側光ファイバＦ４を有している。
【００１７】
波長走査型レーザ光源１０は、波長を一定の周期で掃引させながら近赤外領域のレーザ光を射出する。ノイズカット用フォトカップラ１２は、波長走査型レーザ光源１０と結合している。ノイズカット用フォトカップラ１２は、波長走査型レーザ光源１０からの光を２つに分波する。分波された一方は、光ファイバＦ１に入射し、もう一方は、光ファイバＦ２に入射する。光ファイバＦ１を伝送した光は、分波用フォトカップラ１４に入射する。光ファイバＦ２を伝送した光は、ノイズカット用フォトダイオード３６により検出される。ノイズカット用フォトダイオード３６は、検出した光をノイズカット用信号に変換する。変換されたノイズカット用信号は、ＰＣ３２に入力する。ノイズカット用信号については後に詳説する。
【００１８】
分波用フォトカップラ１４は、光ファイバＦ１を伝送した光を２つに分波する。分波された一方は、参照側光ファイバＦ３に入射して、参照光として伝送される。もう一方は、物体側光ファイバＦ４に入射して、物体光として伝送される。
【００１９】
参照側光ファイバＦ３を伝送した参照光は、参照側サーキュレータ１６のポート１６ａに入射する。参照側サーキュレータ１６は、入射する参照光の伝送方向を規制する。参照側サーキュレータ１６は、ポート１６ａに入射した参照光をポート１６ｂから射出する。ポート１６ｂから射出された参照光は、参照光学系１８を介して参照鏡２０に入射する。参照光は、参照鏡２０を反射して参照光学系１８に戻り、参照側サーキュレータ１６のポート１６ｂに入射する。参照側サーキュレータ１６は、ポート１６ｂに入射した参照光をポート１６ｃから射出する。ポート１６ｃから射出した参照光は、参照側光ファイバＦ３を伝送して合波用フォトカップラ２８に入射する。
【００２０】
物体側光ファイバＦ４を伝送した物体光は、物体側サーキュレータ２２のポート２２ａに入射する。物体側サーキュレータ２２も参照側サーキュレータ１６と同様に、入射する物体光の伝送方向を規制する。物体側サーキュレータ２２は、ポート２２ａに入射した物体光をポート２２ｂから射出する。ポート２２ｂから射出した物体光は、ＯＣＴプローブＰ内に配置されたプローブ用ファイバＦ５の基端に入射する。プローブ用ファイバＦ５を伝送した物体光は、プローブ用ファイバＦ５の先端から射出して、ＯＣＴプローブＰの先端に配置された先端光学系２４に入射する。先端光学系２４より測定対象Ｔに照射された物体光は、測定対象Ｔの表面及び内部で反射又は散乱する。反射又は散乱した物体光の一部は、先端光学系２４に戻り、プローブ用ファイバＦ５を伝送して物体側サーキュレータ２２のポート２２ｂに入射する。
【００２１】
物体側サーキュレータ２２は、ポート２２ｂに入射した物体光をポート２２ｃから射出する。ポート２２ｃから射出した物体光は、物体側光ファイバＦ４を伝送する。物体側光ファイバＦ４を伝送する物体光は、波長走査型レーザ光源１０の波長走査範囲に亘りフリンジ変調を極大化するため、経路中に配置された偏光コントローラ２６により偏波方向が調整されて合波用フォトカップラ２８に入射する。
【００２２】
合波用フォトカップラ２８は、参照側光ファイバＦ３を伝送した参照光と、物体側光ファイバＦ４を伝送した物体光とを合波して干渉光を生成する。干渉信号検出用フォトダイオード３０は、生成された干渉光を検出して干渉光強度信号に変換する。変換された干渉光強度信号は、ＰＣ３２に入力する。
【００２３】
ＰＣ３２は、ＣＰＵ（Central Processing Unit）、ＲＡＭ（Random Access Memory）、ＲＯＭ（Read Only Memory）、ＨＤＤ（Hard Disk Drive）等を有する周知の情報処理端末である。ＨＤＤには、被写体の断層像を生成するためのプログラムがインストールされている。ＣＰＵは、上記プログラムをＲＡＭにロードして起動する。上記プログラムが起動すると、ＧＵＩ（Graphical User Interface）及び断層像を表示するための領域がモニタ３４の表示画面に表示される。
【００２４】
上記プログラムは、入力した干渉光強度信号をＡＤ変換後、ＦＦＴ（Fast Fourier Transform）等の周波数解析を行い、干渉光強度信号の周波数成分を空間的距離情報である相互相関信号に変換する。変換された相互相関信号は、測定対象Ｔの物体光照射点における深さ方向の各位置で反射又は散乱した光に対応し、当該点における測定対象Ｔの深さ方向（一次元）の反射光強度分布、すなわち断層像に相当する。
【００２５】
上記プログラムは、干渉光強度信号を処理して断層像を生成し、モニタ３４の表示画面に表示させることができる。しかし、このようにして生成された断層像は、波長走査型レーザ光源１０固有の光源由来ノイズの影響が大きい。そのため、測定対象Ｔの微細構造を精度良く再現していない。従って、医師による病変部の発見や病変部に対する的確な判断等に支障をきたす虞がある。
【００２６】
そこで、上記プログラムは、ノイズカット用フォトダイオード３６で発生したノイズカット用信号に干渉光強度信号と同様の処理を施し除算することにより、干渉光強度信号から得られる断層像に対する波長走査型レーザ光源１０固有の光源由来ノイズの影響を抑える（ノイズを補正する）。具体的には、上記プログラムは、ノイズカット用信号をＡＤ変換して周波数解析を行い、絶対値をとることで深さ方向に関する擬似的な空間的距離情報を得る。上記プログラムは、ノイズカット用信号を基に生成した擬似的な断層像（以下、「擬似断層像」と記す。）で干渉光強度信号から得た断層像を除算する。
【００２７】
厳密には、波長走査型レーザ光源１０から干渉計を経由してＰＣ３２に入力する干渉光強度信号は、ノイズカット用フォトダイオード３６を経由してＰＣ３２に入力するノイズカット用信号に対して所定の時間遅延を持つ。ノイズ補正をより一層良好に行うため、例えば所定の時間遅延差を加味して実質的に位相が等しい信号同士を除算してもよい。
【００２８】
擬似断層像は、波長走査型レーザ光源１０の出力を直接検出して得た分布であり、波長走査型レーザ光源１０に起因する相互相関信号ノイズ分布である。そのため、断層像を擬似断層像で除算することにより、断層像に含まれる光源由来ノイズが低減される。表示画面上には、光源由来ノイズが低減された再現性の高い断層像が表示され、医師による病変部の発見や的確な判断等に資する。
【００２９】
また、信号補正に用いている除算演算はデコンボリューション演算と置き換えることができ、デコンボリューション演算を適用した場合にも、光源由来ノイズの低減が十分に見込まれる。
【００３０】
（第一の変形例）
図２は、本実施形態のＯＣＴシステム１を変形した第一の変形例の構成を示すブロック図である。以降に説明する各変形例において、本実施形態と同一の又は同様の構成には同一の又は同様の符号を付して説明を簡略又は省略する。
【００３１】
図２に示されるように、第一の変形例のＯＣＴシステム１は、ノイズカット用フォトカップラ１２の位置が異なる以外、図１に示すＯＣＴシステム１と同一の構成を有している。第一の変形例において、ノイズカット用フォトカップラ１２は、分波用フォトカップラ１４と参照側サーキュレータ１６との間の参照側光ファイバＦ３を分岐する。ノイズカット用フォトダイオード３６は、ノイズカット用フォトカップラ１２で２つに分波された参照光の一方を検出してＰＣ３２に出力する。このように、第一の変形例では、参照光の一部を抽出してノイズカット用信号を得る。第一の変形例では、ノイズカット用信号を得るにあたり、物体側光ファイバＦ４に入射する光量を低減させる必要がない。測定対象Ｔをより強い物体光で照射できるため、干渉光強度信号自体のＳＮ比が向上する。別の側面によれば、測定対象Ｔを反射又は散乱する物体光は微弱である。そこで、変形例１では、測定対象Ｔを反射又は散乱する物体光よりも強度的に余裕のある参照光を利用してノイズカット用信号を得ている。
【００３２】
（第二の変形例）
図３は、本実施形態のＯＣＴシステム１を変形した第二の変形例の構成を示すブロック図である。図３に示されるように、第二の変形例のＯＣＴシステム１は、ノイズカット用フォトカップラ１２の位置が異なる以外、図１に示すＯＣＴシステム１と同一の構成を有している。第二の変形例において、ノイズカット用フォトカップラ１２は、参照側サーキュレータ１６と合波用フォトカップラ２８との間の参照側光ファイバＦ３を分岐する。ノイズカット用フォトダイオード３６は、ノイズカット用フォトカップラ１２で２つに分波された参照光の一方を検出してＰＣ３２に出力する。このように、第二の変形例では、合波用フォトカップラ２８に入射する直前の参照光を検知してノイズカット用信号を得ている。そのため、擬似断層像は、参照光側の経路に配置された各光学素子の収差特性を持つ。第二の変形例では、断層像のノイズ成分と擬似断層像のノイズ成分の相関がより一層高くなる。そのため、断層像のノイズを除去して再生性の高い断層像が得られる。第二の変形例においても参照光の一部を抽出してノイズカット用信号を得るため、第一の変形例と同様に、干渉光強度信号のＳＮ比が向上する。
【００３３】
以上が本発明の実施形態の説明である。本発明は、上記の構成に限定されるものではなく、本発明の技術的思想の範囲において様々な変形が可能である。例えば擬似断層像による断層像のノイズ除去は、ＳＳ−ＯＣＴ方式に限らず、ＳＤ−ＯＣＴ（Spectral Domain OCT）方式等の他の方式においても有効である。
【符号の説明】
【００３４】
１    ＯＣＴシステム
１０  波長走査型レーザ光源
１２  ノイズカット用フォトカップラ
３６  ノイズカット用フォトダイオード
【図１】
2012110521.tif 000003
【図２】
2012110521.tif 000004
【図３】
2012110521.tif 000005